(57)【要約】【課題】フロントパネルの内側に配される回路基板への水の侵入を防ぎながら、しかも回転ノブと操作釦との関係をより近接して配することが可能な操作装置を提供する。【解決手段】外周側のリップ８０の部分がシャーシ２２との間で防水構造が成立するゴム製の操作部材３３に円周方向に沿って複数の押釦３４を連設するとともに、この操作部材３３の中心部の挿通孔３７の周縁部を、上下一対の保持リング７１、７５によって挟着保持し、これによって操作部材３３の中心側の部分の防水を成立させる。そして上下の保持リング７１、７５の内部に配されたＯリング７４によって回路基板４０上のエンコーダ４４の回転操作軸４５を挿通させ、その先端側の部分であって外側の部分に操作ノブ６６を取付ける。【選択図】図２５
2008047421.tif 000002
【特許請求の範囲】
【請求項１】
操作用開口が形成されたフロントパネルと、
該フロントパネルの前記操作用開口を防水状態で覆うように取付けられ、かつ弾性変形可能な操作釦を有する操作部材と、
前記操作部材のほぼ中心部に形成された挿通部と、
前記挿通部に防水状態で取付けられる保持リングと、
前記保持リングの中心部に形成された貫通孔と、
前記貫通孔に防水状態で挿通されるとともにノブが取付けられる操作軸と、
を具備し、前記操作部材の操作釦および前記操作軸によって前記フロントパネルの内側に配された被操作部をそれぞれ操作することを特徴とする操作装置。
【請求項２】
前記ノブが取付けられる操作軸が前記フロントパネルの内側に配された回路基板上のボリュームの操作軸であって、前記操作部材の操作釦によって操作される被操作部が前記回路基板上のスイッチであることを特徴とする請求項１に記載の操作装置。
【請求項３】
前記保持リングが導光体を兼ねており、前記回路基板上に配された発光素子からの光を導いて前記操作軸に取付けられるノブの少くとも根元側の部分を光らせることを特徴とする請求項２に記載の操作装置。
【請求項４】
前記操作部材の外側に押えリングが取付けられ、該押えリングによる押圧によって前記操作部材と前記フロントパネルとの間の防水状態が生ずることを特徴とする請求項１に記載の操作装置。
【請求項５】
前記フロントパネルの操作部材が取付けられる位置の側方において、前記操作部材と並置されるように表示部が設けられることを特徴とする請求項１に記載の操作装置。
【請求項６】
フロントパネル上のノブによって所定の操作を行なうようにした操作装置において、
前記フロントパネル上に防水状態で取付けられ、かつ押釦を備える弾性部材の中心部に取付けられた保持リングの貫通孔をシールリングを介して挿通する操作軸に前記ノブが取付けられることを特徴とする操作装置。
【請求項７】
前記弾性部材が押えリングによってフロントパネルに押えられ、前記弾性部材と前記フロントパネルとの間が防水状態であることを特徴とする請求項６に記載の操作装置。
【請求項８】
前記弾性部材の中心部に一対の保持リングが重なるように配され、前記一対の保持リングの外周部によって前記弾性部材の中心部の開口の周縁部を挟着し、これによって前記弾性部材と前記一対の保持リングとの間が防水状態にされることを特徴とする請求項６に記載の操作装置。
【請求項９】
前記保持リングの貫通孔と前記操作軸との間に配されるシールリングがＯリングであることを特徴とする請求項６に記載の操作装置。
【請求項１０】
船舶の運転席の前方のインストルメントパネルに取付けられるオーディオ装置の操作部を構成することを特徴とする請求項６に記載の操作装置。
【発明の詳細な説明】
【技術分野】
【０００１】
本発明は操作装置に係り、とくにフロントパネル上に設けられた操作部材を用いて所定の操作を行なうようにした操作装置に関する。
【背景技術】
【０００２】
スイッチや可変電気素子を、防水パネル上に設けられたノブあるいはつまみを用いて回転操作する構造が、実開昭６１−３４１４１号公報、実開平４−１４８６２号公報、特開２００３−１０７５７０号公報等によって開示されている。これらの公知資料に開示されている操作部の構造は、回転操作されるつまみあるいはノブの取付け軸と筐体の取付け穴との間にＯリング等のシールリングを配し、これによって防水構造を達成するものである。ところがこの場合に、回転する操作部材の周囲に押釦スイッチ等を配する場合には、これらの押釦スイッチの防水構造は、上記回転操作部の防水構造とは独立に行なわれるようになっていた。
【０００３】
例えば従来の小型船舶用オーディオ装置のインストルメントパネルに取付けられる操作ユニットの操作部の構成は、図２６に示される。ここで操作ノブ１は回転操作により回転される部品であって、ビス２によって導光部品３に結合されていた。そして操作ノブ１の根元側のゴムリング４をも光透過性の材料を用いることによって、操作ノブ１の根元部を発光させることが可能になる。この構造の場合に、押釦５は防水構造上独立しており、上記操作ノブ１の防水構造とは別の防水構造になっている。従って操作ノブ１に近接して押釦５を配することはできない欠点がある。
【０００４】
操作ノブ１の防水は、フロントパネル６に操作ノブ１を上から押込み、導光部品３の爪で引掛ける構造となっている。防水は導光性ゴムリング４とフロントパネル６との間で成立しており、これら２つの部品４、６の防水性、すなわち同軸性を優先することを必要とする。従って導光部品３とボリュームを構成するエンコーダ７の回転操作軸８との間に遊びを持たせなければならない。また従来のこのような構造によると、エンコーダ７にプッシュ機能を持たせることが難しい問題がある。また従来の構造によると、操作ノブ１が外れてしまった場合には、基板部へ水が侵入し、その時点で防水性能が保証できなくなる。
【０００５】
このように従来の防水構造は、回転ノブ１の部分の防水を優先させるために、回転ノブ１とエンコーダ７の回転操作軸８との間の同軸性がずれてしまうために、操作ノブ１とエンコーダ７との間に遊びを設けなければならなかった。また操作ノブ１を爪で引掛ける構造によると、回転時に擦動する個所が２箇所になってしまい、経時摩耗や温度変化による変形で、防水性能の面で不安を生ずることになっていた。また、ノブ１が外れた場合には防水構造を保つことが不可能になっていた。また近接する釦５の裾部分にリブを設け、そこで防水する構造を採用すると、操作ノブ１の根元の部分を発光させ、しかも操作ノブ１に近接して操作釦５を配置することが難しい問題があった。
【特許文献１】実開昭６１−３４１４１号公報
【特許文献２】特開平４−１４８６２号公報
【特許文献３】特開２００３−１０７５７０号公報
【発明の開示】
【発明が解決しようとする課題】
【０００６】
本願発明の課題は、内部への水の侵入を防ぎながら、しかも回転操作されるノブと押釦との防水機構を互いに関連させた操作装置を提供することである。
【０００７】
本願発明の別の課題は、回転操作される操作ノブと押釦とを互いにより近接して配置することが可能な防水構造の操作装置を提供することである。
【０００８】
本願発明のさらに別の課題は、従来よりもコンパクトなデザインが可能な防水構造の操作装置を提供することである。
【０００９】
本願発明のさらに別の課題は、デザインの自由度が向上するようにした操作装置を提供することである。
【００１０】
本願発明のさらに別の課題は、より小さなサイズでしかも効果的な防水構造を備えた操作装置を提供することである。
【００１１】
本願発明の上記の課題および別の課題は、以下に述べる本願発明の技術的思想、およびその実施の形態によって明らかにされる。
【課題を解決するための手段】
【００１２】
本願の主要な発明は、操作用開口が形成されたフロントパネルと、
該フロントパネルの前記操作用開口を防水状態で覆うように取付けられ、かつ弾性変形可能な操作釦を有する操作部材と、
前記操作部材のほぼ中心部に形成された挿通部と、
前記挿通部に防水状態で取付けられる保持リングと、
前記保持リングの中心部に形成された貫通孔と、
前記貫通孔に防水状態で挿通されるとともにノブが取付けられる操作軸と、
を具備し、前記操作部材の操作釦および前記操作軸によって前記フロントパネルの内側に配された被操作部をそれぞれ操作することを特徴とする操作装置に関するものである。
【００１３】
ここで、前記ノブが取付けられる操作軸が前記フロントパネルの内側に配された回路基板上のボリュームの操作軸であって、前記操作部材の操作釦によって操作される被操作部が前記回路基板上のスイッチであってよい。また前記保持リングが導光体を兼ねており、前記回路基板上に配された発光素子からの光を導いて前記操作軸に取付けられるノブの少くとも根元側の部分を光らせるようにしてよい。また前記操作部材の外側に押えリングが取付けられ、該押えリングによる押圧によって前記操作部材と前記フロントパネルとの間の防水状態が生ずるようにしてよい。また前記フロントパネルの操作部材が取付けられる位置の側方において、前記操作部材と並置されるように表示部が設けられてよい。
【００１４】
本願の別の主要な発明は、フロントパネル上のノブによって所定の操作を行なうようにした操作装置において、
前記フロントパネル上に防水状態で取付けられ、かつ押釦を備える弾性部材の中心部に取付けられた保持リングの貫通孔をシールリングを介して挿通する操作軸に前記ノブが取付けられることを特徴とする操作装置に関するものである。
【００１５】
ここで、前記弾性部材が押えリングによってフロントパネルに押えられ、前記弾性部材と前記フロントパネルとの間が防水状態になるようにしてよい。また前記弾性部材の中心部に一対の保持リングが重なるように配され、前記一対の保持リングの外周部によって前記弾性部材の中心部の開口の周縁部を挟着し、これによって前記弾性部材と前記一対の保持リングとの間が防水状態にされてよい。また前記保持リングの貫通孔と前記操作軸との間に配されるシールリングがＯリングであってよい。また船舶の運転席の前方のインストルメントパネルに取付けられるオーディオ装置の操作部を構成してよい。
【００１６】
本願発明の好ましい態様は、回転ノブとそれに近接する押釦とを合わせて防水構造を成立させるようにし、しかも乳白色の押釦の一部を光を透過させることによって、上記回転ノブの根元部分を発光させるようにしている。ここで回転操作による回転体をノブのみとすることによって、ノブとこのノブによって回転操作されるエンコーダとの遊びを無くすことができるようになる。また万が一、ノブが外れてしまった場合でも、ノブが防水の外側にあるために防水性能が維持される。また根元が発光する回転ノブとその外周囲に位置する押釦との間で、ともに防水構造を成立させつつ、近接配置することができるために、デザインの自由度が上がる。
【００１７】
上記のような態様によると、内部の機構、例えば回路基板への水の侵入を防ぎつつ、回転ノブと操作釦との関係をより近接して配置することが可能になる。これによって、従来よりもコンパクトなデザインが可能になり、デザインの自由度が向上する。また電子機器全体から見ても、より小さなサイズで防水構造を備えた製品が作られることになる。
【発明の効果】
【００１８】
本願の主要な発明は、操作用開口が形成されたフロントパネルと、該フロントパネルの操作用開口を防水状態で覆うように取付けられ、かつ弾性変形可能な操作釦を有する操作部材と、操作部材のほぼ中心部に形成された挿通部と、挿通部に防水状態で取付けられる保持リングと、保持リングの中心部に形成された貫通孔と、該貫通孔に防水状態で挿通されるとともにノブが取付けられる操作軸と、を具備し、操作部材の操作釦および操作軸によってフロントパネルの内側に配された被操作部をそれぞれ操作するようにしたものである。
【００１９】
従ってこのような操作装置によると、ノブが取付けられた操作軸の防水構造は、弾性変形可能な操作部材によって、保持リングを介して行なわれることになり、ノブを備えた操作軸と操作釦を有する操作部材との防水構造が連結した構造になる。従って回転操作されるノブに近接して操作釦を配することが可能になり、デザインの自由度が向上するとともに、より小さなサイズで防水構造を成立させることができるようになる。
【００２０】
本願の別の主要な発明は、フロントパネル上のノブによって所定の操作を行なうようにした操作装置において、フロントパネル上に防水状態で取付けられ、かつ押釦を備える弾性部材の中心部に取付けられた保持リングの貫通孔をシールリングを介して挿通する操作軸にノブが取付けられるようにしたものである。
【００２１】
従ってこのような操作装置によると、ノブが取付けられる操作軸の防水が、保持リングの貫通孔内に配されるシールリングによって達成される。しかも保持リングは押釦を備える弾性部材の中心部に取付けられるために、この押釦を備える弾性部材とノブを備える操作軸との防水構造が関連されることになり、このためにノブを備える操作軸の周囲に押釦を備える弾性部材を近接して配置することが可能になる。
【発明を実施するための最良の形態】
【００２２】
以下本願発明を図示の実施の形態によって説明する。この実施の形態は、運転席を備える小型の船舶における、上記運転席の前方のインストルメントパネルに取付けられるオーディオ装置の操作部に関するものである。
【００２３】
図１に示す船舶の運転席の前方のインストルメントパネル１５上には、横長の取付けベース１６が固定される。そしてこの取付けベース１６の背面側には、上記インストルメントパネル１５を貫通してこのインストルメントパネル１５の背面側に突出するようにしてＣＤプレーヤ１７が取付けられる。ＣＤプレーヤ１７は、演奏するＣＤ（Ｃｏｍｐａｃｔ  Ｄｉｓｃ）を挿入するための横長の挿入口１８を備えており、この挿入口１８内にＣＤを挿入すると、ＣＤが中に自動的に引込まれてＣＤプレーヤ１７内で演奏されるようになっている。
【００２４】
上記取付けベース１６の下側の部分には左右一対のヒンジ１９が配されるとともに、ヒンジ１９によって細長い金属製の取付け板２０が取付けられる。そしてこの取付け板２０を介して操作ユニット２１が取付けられる。ここで操作ユニット２１は図２〜図５に示すように、上記ヒンジ１９によって回動可能に支持される。図２および図４は、上記操作ユニット２１を閉じた状態、すなわち取付けベース１６上に重なるように配される状態を示し、図３および図５は、上記操作ユニット２１がヒンジ１９によって下方に回動された状態を示している。このときには取付けベース１６上の挿入口１８が露出され、これによってＣＤの挿入および取出しが可能になる。なお操作ユニット２１はフロントパネルを構成するシャーシ２２を備えており、その背面板との間にひも状パッキン２４が介装され（図６参照）、これによってシャーシ２２と背面板２３との間の防水構造が達成される。
【００２５】
図６は上記の操作ユニット２１の各コンポーネンツを示すために、これらを分解して示したものであって、背面板２３の前方側にはひも状パッキン２４を介してシャーシ２２が配される。そしてシャーシ２２の内部であって背面板２３の前方側の部分に回路基板４０が配される。そしてシャーシ２２の前方側にフロントカバー５２が取付けられ、これによってシャーシ２２上の操作部材３３や押釦３６が押えられるようになっている。
【００２６】
図７〜図９は、フロントパネルを構成するシャーシ２２を示しており、シャーシ２２はその左側の部分に円形の開口３０を備えている。この開口３０には、円周方向に沿って９０度間隔で４つの連結部３１が設けられるとともに、連結部３１を介して円形の開口３０よりもひとまわり小さなリング状連結部３２が連設される。そして上記連結部３１間の円弧状の開口の部分にゴム製の操作部材３３が組込まれるようになっている。なお操作部材３３は図１７〜図２０に示される。またシャーシ２２には、押釦取付け用開口３５が形成され、これらの開口３５にはそれぞれ押釦３６が組込まれるようになっている。
【００２７】
シャーシ２２上に収納される回路基板４０は図６に示すように、操作部材３３の押釦３４によって操作されるスイッチ４１と、押釦３６によって操作されるスイッチ４２とを実装している。また上記スイッチ４１間には発光ダイオード４３が取付けられている（図２４、図２５参照）。また上記スイッチ４１と発光ダイオード４３との間の部分にボリュームを構成するエンコーダ４４が実装されている。このエンコーダ４４は回転操作軸４５を備え、この回転操作軸４５を後述する操作ノブ６６よって操作するようにしている。また回路基板４０上には、図６に示すように、その右側の位置に液晶表示パネル４６が取付けられている。この液晶表示パネル４６は、その前方に配される透明窓４７を介して前方から視認できるようになっている。
【００２８】
次に上記フロントパネルを構成するシャーシ２２の前方に配されるフロントカバー５２の構造について、図１０〜図１２により説明する。フロントカバー５２は左右一対の円形の開口５３、５４を備えるとともに、さらに押釦挿通孔５５、５６を備えている。これらの押釦挿通孔５５、５６には、上述の押釦３６（図６参照）が嵌合されて組込まれるようになっている。
【００２９】
次に上記シャーシ２２上において、ゴム製の操作部材３３の上側に配される押えリング６０について図１３〜図１６により説明する。押えリング６０はその中心部に比較的大きな円形の開口５９を備えるとともに、円周方向に沿って９０度間隔で４つの連結部６１を備えている。そして連結部６１の先端部がリング状連結部６２によって連結されるようになっており、リング状連結部６２の内側が開口５９になっている。リング状連結部６２の外周側であって連結部６１間の部分に、上記操作部材３３の押釦３４が位置することになる。この押えリング６０上には、メッキが施された装飾リング８５が固着されている（図６、図２５参照）。
【００３０】
図１７〜図２０は、ゴム製の操作部材３３を示している。すなわち操作部材３３は乳白色のゴムの成形体であって、その円周方向に沿って４つの円弧状に延びる押釦３４を備えている。またこの操作部材３３はその中心部が挿通孔３７になっている。
【００３１】
次に図２１によって操作ノブ６６について説明する。操作ノブ６６は合成樹脂の成形体から成り、その外周側の部分に複数の突条６７が形成されている。これらの突条６７によって指で操作するときに滑らないようにしている。また操作ノブ６６の内側には筒状連結部６８が形成される。筒状連結部６８の外周部にはばね６９が巻装されるようになっている。
【００３２】
次に上記ゴム製の操作部材３３の中心部に取付けられる上側の保持リング７１について図２２により説明する。保持リング７１は偏平な円盤状をなし、その内部に凹部７２が形成されるとともに、凹部７２の上側の段部７３の内周面にシールリングを構成するＯリング７４が装着される。
【００３３】
一方上記保持リング７１と組合わされて操作部材３３の挿通孔３７の部分をシールする下側の保持リング７５は、図２３に示すように上方に突出する突部７６を備えている。
【００３４】
図２４および図２５は、回路基板４０上のエンコーダ４４の回転操作軸４５を回転操作するためのノブ６６と、その外周部に配されかつ押釦３４を備える操作部材３３の防水構造を示している。この防水構造は、フロントパネルを構成するシャーシ２２の開口３０を覆うようにまず操作部材３３が取付けられる。そしてこの操作部材３３の挿通孔３７に対してその上側から保持リング７１が取付けられるとともに、下側から保持リング７５が取付けられ、これらの保持リング７１、７５によって操作部材３３の挿通孔３７の内側の周縁部が挟着されてシールされる。そして上記保持リング７１、７５を中心部に取付けた操作部材３３は、その上側から押えリング６０によって押えられる。回路基板４０上のエンコーダ４４の回転操作軸４５は上記保持リング７１、７５の中心部を貫通するとともに、保持リング７１の段部７３に取付けられたＯリング７４によって防水シールされる。そして上側の保持リング７１から突出した回転操作軸４５の先端部にノブ６６が取付けられることになる。
【００３５】
従って操作部材３３の外周側の防水構造は、この操作部材３３の外周部とシャーシ２２との間の密着構造によって達成される。なおこのときに押えリング６０が操作部材３３の外周部をシャーシ２２に対して押圧する。また操作部材３３の中心側の挿通孔３７の部分の防水構造は、上下の保持リング７１、７５によって行なわれ、それらの外周側の周縁部が操作部材３３の挿通孔３７のエッジの部分を上下から狭着することによって達成される。またエンコーダ４４の回転操作軸４５であって、ノブ６６が取付けられる回転操作軸４５の防水構造は、上記操作部材３３に取付けられる上下一対の保持リング７１、７５の内の上側の保持リング７１の段部７３に装着されたＯリング７４によって達成される。従ってエンコーダ４４の回転操作軸４５の防水構造が、上記ゴム製の操作部材３３を介して行なわれることになる。
【００３６】
すなわち回転操作される操作ノブ６６は、図２４および図２５に示すように、プリント基板４０上のエンコーダの操作軸４５に嵌着されて固定されている。そしてこれに隣接する押釦３４は、ゴム製の弾性を有する操作部材３３に形成され、操作ノブ６６を中心にしてその周囲にドーナッツ状に配列され、外周部と内周部との下部にそれぞれリブ８２、８４を有するリップ８０、８３を設け、それらを挾込むことによってプリント基板４０側への水の侵入を防止する防水構造を成立させている。操作部材３３の外周側のリップ８０がシャーシ２２の凹溝８１内に侵入されるとともに、シャーシ２２と押えリング６０とによって挾込まれることによってリブ８２が押潰されて防水構造にしている。また操作部材３３の内周側のリップ８３の下側のリブ８４は、上下の保持リング７１、７５の外周部によって挟着されて下側の保持リング７５の外周側の上面に圧着されている。なおシャーシ２２と押えリング６０とは互いにビスで締付けられている。また上下の保持リング７１、７５は互いにビス７７で結合されている。また押えリング６０とフロントカバー５２との間に装飾リング８５が不要な場合には、これらを一体の部品とすることができる。
【００３７】
エンコーダ４４の回転操作軸４５の防水は、上下の保持リング７１、７５の間に挾まれているＯリング７４によって達成される。このような構造は、エンコーダ４４にプッシュ機能を持たせることをも可能にしている。またこの防水構造は、上下の保持リング７１、７５と操作部材３３の押釦とに光透過材を使うことによって、回路基板４０上の発光ダイオード４３からの光を導いて操作ノブ６６の根元部分を発光させることを可能にしている。また万が一操作ノブ６６が外れた場合でも、この操作ノブ６６は防水機構の外にあるために、それに依存せずに防水が可能になっている。このような構造を採用することによって、操作ノブ６６と操作釦３４との間の距離を短くでき、意匠の自由度を高めることが可能になる。
【００３８】
すなわち本願の図２４および図２５に示す構造によると、回路基板４０への水の侵入を防ぎながら、しかも回転ノブ６６と押釦３４との関係をより近接して配することが可能になる。これによって従来よりもコンパクトなデザインが可能になり、デザインの自由度が向上する。また電子機器全体で見ても、より小さなサイズで防水構造を備えた製品を作ることが可能になる。
【００３９】
次にこのような防水構造の操作ユニット２１を有するこのＣＤプレーヤ１７から成るオーディオ装置の全体の動作を説明する。図１、図３、および図５に示すように、ヒンジ１９を介して操作ユニット２１を下方に倒すように回動させる。そして取付けベース１６に形成されている挿入口１８を通してＣＤをＣＤプレーヤ１７内に導入し、このＣＤプレーヤ１７によって演奏を行なう。この演奏の際には、図２および図４に示すように、操作ユニット２１をヒンジ１９を中心として回動させて元の状態に戻す。そして回転操作軸４５に取付けられている操作ノブ６６を回転操作させることによって、例えば音量調整を行なう。またフロントカバー５２の開口５５から露出する押釦３６を押圧することによって、回路基板４０上のスイッチ４２の操作を行なうことにより所定の操作が達成される。
【００４０】
演奏が終わったら再び操作ユニット２１を図１、図３、および図５に示すように下方に回動させ、取付けベース１６の挿入口１８からＣＤを取出す。また必要に応じて別のＣＤを挿入口１８を通して挿入することにより、別のＣＤの演奏を行なうことができる。
【００４１】
以上本願発明を図示の実施の形態によって説明したが、本願発明は上記実施の形態によって限定されることなく、本願に含まれる発明の技術的思想の範囲内において各種の変更が可能である。例えば上記実施の形態における操作ユニット２１の具体的な形状や、そのデザイン設計等については各種の設計変更が可能である。また本願発明は、防水を必要とする小型船舶以外の操作部の操作にも広く適用可能である。
【産業上の利用可能性】
【００４２】
本願発明は、小型船舶のインストルメントパネル上に取付けられるオーディオ装置の操作ユニットの操作装置として利用することができる。
【図面の簡単な説明】
【００４３】
【図１】小型船舶用オーディオ装置の操作ユニットを開いた状態の要部斜視図である。
【図２】同オーディオ装置の正面図である。
【図３】同操作装置の操作ユニットを開いた状態の正面図である。
【図４】同操作装置の側面図である。
【図５】同操作装置の操作ユニットを開いた状態の側面図である。
【図６】操作装置の分解斜視図である。
【図７】シャーシの斜視図である。
【図８】同シャーシの正面図である。
【図９】同シャーシの横断面図である。
【図１０】フロントカバーの斜視図である。
【図１１】同フロントカバーの正面図である。
【図１２】同フロントカバーの横断面図である。
【図１３】押えリングの斜視図である。
【図１４】同押えリングの正面図である。
【図１５】同押えリングの下面図である。
【図１６】同押えリングの断面図である。
【図１７】ゴム製の操作部材の斜視図である。
【図１８】操作部材の正面図である。
【図１９】同操作部材の下面図である。
【図２０】同操作部材の横断面図である。
【図２１】操作ノブの斜視図および断面図である。
【図２２】上側の保持リングの斜視図および縦断面図である。
【図２３】下側の保持リングの斜視図および縦断面図である。
【図２４】操作部材および回転操作軸の防水構造を示す分解斜視図である。
【図２５】同組立て断面図である。
【図２６】従来の船舶用オーディオ装置の操作部の防水構造を示す要部縦断面図である。
【符号の説明】
【００４４】
１…操作ノブ、２…ビス、３…導光部品、４…導光ゴムリング、５…押釦、６…フロントパネル、７…エンコーダ、８…回転操作軸、１５…インストルメントパネル、１６…取付けベース、１７…ＣＤプレーヤ、１８…挿入口、１９…ヒンジ、２０…取付け板、２１…操作ユニット、２２…シャーシ（フロントパネル）、２３…背面板、２４…ひも状パッキン、３０…円形の開口、３１…連結部、３２…リング状連結部、３３…操作部材（ゴム製）、３４…押釦、３５…押釦取付け用開口、３６…押釦、３７…挿通孔、４０…回路基板、４１、４２…スイッチ、４３…発光ダイオード、４４…エンコーダ（ボリューム）、４５…回転操作軸、４６…液晶表示パネル、４７…透明窓、５２…フロントカバー、５３、５４…円形の開口、５５、５６…押釦挿通孔、５９…開口、６０…押えリング、６１…連結部、６２…リング状連結部、６６…操作ノブ、６７…突条、６８…筒状連結部、６９…ばね、７１…保持リング（上）、７２…凹部、７３…段部、７４…Ｏリング（シールリング）、７５…保持リング（下）、７６…突部、７７…ビス、８０…リップ、８１…凹溝、８２…リブ、８３…リップ、８４…リブ、８５…装飾リング
【図１】
2008047421.tif 000003
【図２】
2008047421.tif 000004
【図３】
2008047421.tif 000005
【図４】
2008047421.tif 000006
【図５】
2008047421.tif 000007
【図６】
2008047421.tif 000008
【図７】
2008047421.tif 000009
【図８】
2008047421.tif 000010
【図９】
2008047421.tif 000011
【図１０】
2008047421.tif 000012
【図１１】
2008047421.tif 000013
【図１２】
2008047421.tif 000014
【図１３】
2008047421.tif 000015
【図１４】
2008047421.tif 000016
【図１５】
2008047421.tif 000017
【図１６】
2008047421.tif 000018
【図１７】
2008047421.tif 000019
【図１８】
2008047421.tif 000020
【図１９】
2008047421.tif 000021
【図２０】
2008047421.tif 000022
【図２１】
2008047421.tif 000023
【図２２】
2008047421.tif 000024
【図２３】
2008047421.tif 000025
【図２４】
2008047421.tif 000026
【図２５】
2008047421.tif 000027
【図２６】
2008047421.tif 000028